(57)【要約】【課題】柔軟な合成樹脂材料からなるシート部材が長大な場合であっても端面を精度良く平面状に研磨し得る方法、及び研磨時のシート部材保持用治具を提供する。【解決手段】シート部材保持用治具１Ａにより柔軟なシート部材Ｓ１を略円筒状に保持し、回転駆動軸５１ｂによって回転する研磨工具５１の平面状の研磨面５１ｂの上にシート部材Ｓ１の端面Ｅ１を接触させ、往復駆動軸６１を第１保持部材１１の上部の駆動用凹部１１ｂに差し込み、水平方向に往復駆動することにより、シート部材Ｓ１の端面Ｅ１を平坦面状に研磨する。【選択図】　　　　図１
2004114192.tif 000002
【特許請求の範囲】
【請求項１】
柔軟性を有する合成樹脂材料からなりシート状に形成されたシート部材を筒の一部又は全部を形成する形状にした状態でシート部材保持用治具により保持するとともに、前記シート部材の端面を前記シート部材保持用治具から突出させ、平面状の研磨面を有する研磨工具と前記シート部材の端面を接触させ、前記シート部材保持用治具と前記研磨工具を前記研磨面の方向に互いに移動させることにより、前記シート部材の端面を平面状に研磨することを特徴とするシート部材端面の平面研磨方法。
【請求項２】
請求項１記載のシート部材端面の平面研磨方法において、
前記シート部材保持用治具は、
円柱外側面状の第１保持面を有する円盤状に形成され、前記第１保持面に前記シート部材を１層又は複数層となるように巻回させる第１保持部材と、
略円筒状に巻回されたシート部材の外側に密接可能に構成された第２保持部材と、
前記第２保持部材に締付力を付与し前記シート部材を押さえ付ける第１締付手段を有すること
を特徴とするシート部材端面の平面研磨方法。
【請求項３】
請求項２記載のシート部材端面の平面研磨方法において、
前記シート部材は前記第１保持面の一部に保持され、前記シート部材と同一の材料からなり同一の厚さを有するダミー部材が前記第１保持面の残部に保持された状態で前記研磨が行われること
を特徴とするシート部材端面の平面研磨方法。
【請求項４】
請求項１記載のシート部材端面の平面研磨方法において、
前記シート部材保持用治具は、
円筒内側面状の第３保持面を有する円盤状に形成され、前記第３保持面に前記シート部材を１層又は複数層となるように巻回させる第３保持部材と、
略円筒状に巻回されたシート部材の内側に密接可能に構成された第４保持部材と、
前記第３保持部材に締付力を付与し前記シート部材を押さえ付ける第２締付手段を有すること
を特徴とするシート部材端面の平面研磨方法。
【請求項５】
請求項４記載のシート部材端面の平面研磨方法において、
前記シート部材は前記第３保持面の一部に保持され、前記シート部材と同一の材料からなり同一の厚さを有するダミー部材が前記第３保持面の残部に保持された状態で前記研磨が行われること
を特徴とするシート部材端面の平面研磨方法。
【請求項６】
柔軟性を有する合成樹脂材料からなりシート状に形成されたシート部材の端面を平面状に研磨する際に前記シート部材を保持するシート部材保持用治具であって、
前記シート部材を筒の一部又は全部を形成する形状で、かつ前記シート部材の端面を前記シート部材保持用治具から突出させた状態で保持すること
を特徴とするシート部材保持用治具。
【発明の詳細な説明】
【０００１】
【発明の属する技術分野】
本発明は、柔軟な合成樹脂材料からなるシート部材の端面を平面状に研磨する方法、及び研磨時のシート部材保持用治具に関するものである。
【０００２】
【従来の技術】
従来、部材の面（被研磨面）を平面状に研磨する方法としては、部材を保持用工具により保持するとともに、平面状の研磨面を有する研磨工具と部材の被研磨面を接触させ、研磨工具を回転させるとともに保持用工具を往復運動させ、部材の被研磨面を平面状に研磨する方法が知られている（例えば、特許文献１参照）。
【０００３】
上記のようにして平面状研磨を行う部材が、図５（Ａ）に示すようなシート部材７０の場合がある。このシート部材７０は、柔軟性を有する合成樹脂材料からなり、シート状に形成されている。このシート部材７０は、平坦な２つの表面７１と、横方向の２つの端面７２と、縦方向の２つの端面７３を有している。被研磨面がシート部材の端面の場合がある。
【０００４】
このようなシート部材７０を研磨するためには、図５（Ｂ）及び図５（Ｃ）に示すような保持用工具８０を用いる。この保持用工具８０は、２個の板状又は棒状の挟持部材８１、８２を有しており、これらの挟持部材８１、８２の間にシート部材７０を挟み込み、ボルト等（図示せず）によって取付部材８３に固定する。この際、挟持部材８１、８２の下端からシート部材７０の横方向端面７２を少し突出させておく。
【０００５】
この状態で、回転駆動軸９２によって回転する研磨工具９０の平面状の研磨面９１の上にシート部材７０の横方向端面７２を接触させ、往復駆動軸８４を水平方向（研磨面の面の方向）に往復駆動することにより、シート部材７０の横方向端面７２が平坦面状に研磨される。この場合、挟持部材８１、８２は、軟質の合成樹脂材料等からなり、シート部材７０の研磨時に一緒に研磨されてもよいようになっている。
【０００６】
【特許文献１】
特開２０００−５２２４２号公報（第１−６頁、図１−２）
【０００７】
【発明が解決しようとする課題】
しかしながら、上記した従来の平面状研磨方法では、研磨しようとするシート部材の長さが非常に長くなると、研磨機械の研磨工具の範囲内に収まらず、作業者が手動で手研磨を行うことになる。しかし、手研磨では、非常に長い時間を要するうえ、「ダレ」という状態が起こりやすく、端面の平面精度として良好な値が得られない、という問題があった。
【０００８】
本発明は上記の問題を解決するためになされたものであり、本発明の解決しようとする課題は、柔軟な合成樹脂材料からなるシート部材が長大な場合であっても端面を精度良く平面状に研磨し得る方法、及び研磨時のシート部材保持用治具を提供することにある。
【０００９】
【課題を解決するための手段】
上記課題を解決するため、本発明に係るシート部材端面の平面研磨方法は、柔軟性を有する合成樹脂材料からなりシート状に形成されたシート部材を筒の一部又は全部を形成する形状にした状態でシート部材保持用治具により保持するとともに、前記シート部材の端面を前記シート部材保持用治具から突出させ、平面状の研磨面を有する研磨工具と前記シート部材の端面を接触させ、前記シート部材保持用治具と前記研磨工具を前記研磨面の方向に互いに移動させることにより、前記シート部材の端面を平面状に研磨することを特徴とする。
【００１０】
上記のシート部材端面の平面研磨方法において、好ましくは、
前記シート部材保持用治具は、
円柱外側面状の第１保持面を有する円盤状に形成され、前記第１保持面に前記シート部材を１層又は複数層となるように巻回させる第１保持部材と、
略円筒状に巻回されたシート部材の外側に密接可能に構成された第２保持部材と、
前記第２保持部材に締付力を付与し前記シート部材を押さえ付ける第１締付手段を有する。
【００１１】
また、上記のシート部材端面の平面研磨方法において、好ましくは、前記シート部材は前記第１保持面の一部に保持され、前記シート部材と同一の材料からなり同一の厚さを有するダミー部材が前記第１保持面の残部に保持された状態で前記研磨が行われる。
【００１２】
また、上記のシート部材端面の平面研磨方法において、好ましくは、
前記シート部材保持用治具は、
円筒内側面状の第３保持面を有する円盤状に形成され、前記第３保持面に前記シート部材を１層又は複数層となるように巻回させる第３保持部材と、
略円筒状に巻回されたシート部材の内側に密接可能に構成された第４保持部材と、
前記第３保持部材に締付力を付与し前記シート部材を押さえ付ける第２締付手段を有する。
【００１３】
また、上記のシート部材端面の平面研磨方法において、好ましくは、前記シート部材は前記第３保持面の一部に保持され、前記シート部材と同一の材料からなり同一の厚さを有するダミー部材が前記第３保持面の残部に保持された状態で前記研磨が行われる。
【００１４】
また、本発明に係るシート部材保持用治具は、
柔軟性を有する合成樹脂材料からなりシート状に形成されたシート部材の端面を平面状に研磨する際に前記シート部材を保持するシート部材保持用治具であって、
前記シート部材を筒の一部又は全部を形成する形状で、かつ前記シート部材の端面を前記シート部材保持用治具から突出させた状態で保持すること
を特徴とする。
【００１５】
【発明の実施の形態】
以下、本発明の実施形態について、図面を参照しながら詳細に説明する。
【００１６】
図１は、本発明の第１実施形態であるシート部材端面の平面研磨方法を説明する図である。
【００１７】
第１実施形態のシート部材端面の平面研磨方法では、図１に示すようなシート部材保持用治具１Ａが用いられる。図１において、図１（Ａ）は、シート部材保持用治具１Ａを下方から見た平面図を示し、図１（Ｂ）は、シート部材保持用治具１Ａを側方から見た断面図を示している。また、シート部材Ｓ１は、柔軟性を有する合成樹脂材料からなり、シート状に形成されており、図１（Ｂ）の下端面Ｅ１が被研磨面となっている。
【００１８】
図１に示すように、このシート部材保持用治具１Ａは、第１保持部材１１と第２保持部材１２を有している。第１保持部材１１は、円盤状に形成された部材である。また、第１保持部材１１は、円柱の外側面状の曲面（以下、「第１保持面」という。）１１ｃを有している。また、第１保持面１１ｃの上端から外方へ向かって突出する鍔部１１ｄが形成されており、鍔部１１ｄの下面はシート部材Ｓ１の上側の端面を受けるシート受面１１ａとなっている。
【００１９】
また、この場合には、第１保持面１１ｃには、シート部材Ｓ１が、全周面のほぼ２回分巻回されており、シート部材Ｓ１は２層の略円筒状となっている。これは、シート部材の長さによって適宜変更可能であり、第１保持面１１ｃの全周面の１回分巻回し、シート部材Ｓ１を１層としてもよいし、第１保持面１１ｃの全周面に対して３回分以上巻回し、シート部材Ｓ１を３層以上の層としてもよい。
【００２０】
第２保持部材１２は、一部に間隙Ｖ１を有する環状又は短い円筒状に形成された部材である。間隙Ｖ１は、第２保持部材１２の端部１２ａと端部１２ｂの間に形成されている。第２保持部材１２の内径は、第１保持面１１ｃの外径とほぼ同じ値に設定されている。このため、間隙Ｖ１の部分を開くようにして、略円筒状に巻回されたシート部材Ｓ１の外側から嵌めれば、第２保持部材１２の内壁面がシート部材Ｓ１の外面に密接するようになっている。
【００２１】
この第１実施形態のシート部材端面の平面研磨方法の場合には、第２保持部材１２に締付力を付与して、シート部材Ｓ１を押さえ付け、脱落を防止するため、針金（図示せず）を第２保持部材１２の外周に巻回し、針金の端部をねじってかしめている。
【００２２】
上記のようにして、シート部材保持用治具１Ａにより、シート部材Ｓ１を略円筒状に保持するとともに、シート部材Ｓ１の端面Ｅ１をシート部材保持用治具１Ａから下方に突出させた状態で、回転駆動軸５１ｂによって回転する研磨工具５１の平面状の研磨面５１ｂの上にシート部材Ｓ１の端面Ｅ１を接触させ、往復駆動軸６１を第１保持部材１１の上部の駆動用凹部１１ｂに差し込み、水平方向（研磨面５１ｂの面の展開方向）に往復駆動することにより、シート部材Ｓ１の横方向端面Ｅ１が平坦面状に研磨される。この場合、第１保持部材１１と第２保持部材１２は、軟質の合成樹脂材料等からなり、シート部材Ｓ１の研磨時に一緒に研磨されてもよいようになっている。
【００２３】
上記のような構成と手順により、第１実施形態のシート部材端面の平面研磨方法の場合には、研磨しようとするシート部材の長さが非常に長い場合であっても、研磨機械の研磨工具の範囲内に収めることができる。また、手研磨とは異なり短時間で研磨を行うことができる。さらに、機械研磨であるため、研磨された端面の平面精度として良好な値を得ることができる。
【００２４】
上記した第１実施形態において、第２保持部材１２の外周に巻回した図示しない針金は、特許請求の範囲における第１締付手段に相当している。
【００２５】
この第１締付手段としては、他の構成も可能である。例えば、図２に示すように、第２保持部材１２の端部１２ａに張出部２２ａを形成するとともに、第２保持部材１２の他の端部１２ｂに張出部２２ｂを形成する。張出部２２ａにはボルト挿通孔２３ａを形成し、張出部２２ｂにはボルト挿通孔２３ｂを形成する。そして、ボルト２４をボルト挿通孔２３ａ及び２３ｂに挿通した後、ボルト２４の端部にナット２５を螺合させて締め込む。これにより、締付機構２１を構成し、第２保持部材１２に締付力を付与して、シート部材Ｓ１を押さえ付け、脱落を防止することができる。この締付機構２１は、特許請求の範囲における第１締付手段に相当している。
【００２６】
本発明は、上記した第１実施形態以外の構成によっても実現可能である。図３は、本発明の第２実施形態であるシート部材端面の平面研磨方法を説明する図である。
【００２７】
第２実施形態のシート部材端面の平面研磨方法では、図３に示すようなシート部材保持用治具１Ｂが用いられる。図３において、図３（Ａ）は、シート部材保持用治具１Ｂを上方から見た平面図を示し、図３（Ｂ）は、シート部材保持用治具１Ｂを側方から見た断面図を示している。また、シート部材Ｓ２は、柔軟性を有する合成樹脂材料からなり、シート状に形成されており、図３（Ｂ）の下端面Ｅ２が被研磨面となっている。
【００２８】
図３に示すように、このシート部材保持用治具１Ｂは、第３保持部材１３と第４保持部材１４を有している。第３保持部材１３は、円盤状に形成された部材であり、円盤の外周部から下方に垂下する垂下筒部１３ｅを有している。また、第３保持部材１３の垂下筒部１３ｅの内壁面は、円筒の内側面状の曲面（以下、「第３保持面」という。）１３ｃを有している。また、第３保持面１３ｃの上端は、第３保持部材１３の円盤部と垂下筒部１３ｅのなす隅角部となっており、この隅角部における円盤部の下面はシート部材Ｓ２の上側の端面を受けるように構成されている。また、第３保持部材の端部１３ａと端部１３ｂの間には、スリット状の間隙Ｖ２が形成されている。
【００２９】
また、この場合には、第３保持面１３ｃには、シート部材Ｓ２が、全周面のほぼ２回分巻回されており、シート部材Ｓ２は２層の略円筒状となっている。これは、シート部材の長さによって適宜変更可能であり、第３保持面１３ｃの全周面の１回分巻回し、シート部材Ｓ２を１層としてもよいし、第３保持面１３ｃの全周面に対して３回分以上巻回し、シート部材Ｓ２を３層以上の層としてもよい。
【００３０】
第４保持部材１４は、円盤状に形成された部材である。第４保持部材１４の上面は、第３保持部材１３の下面と密接可能な構成となっている。また、第４保持部材１４の外径は、第３保持面１３ｃの内径より、わずかに小さい値に設定されている。
【００３１】
上記のような構成により、第４保持部材１４を、略円筒状に巻回されたシート部材Ｓ２の内側から嵌めれば、第４保持部材１４の外壁面がシート部材Ｓ２の内面に密接するようになっている。
【００３２】
この第２実施形態のシート部材端面の平面研磨方法の場合には、第３保持部材１３に締付力を付与して、シート部材Ｓ２を押さえ付け、脱落を防止するためには、第３保持部材１３の端部１３ａ、１３ｂに、図２に示す締付機構２１を設ければよい。
【００３３】
上記のようにして、シート部材保持用治具１Ｂにより、シート部材Ｓ２を略円筒状に保持するとともに、シート部材Ｓ２の端面Ｅ２をシート部材保持用治具１Ｂから下方に突出させた状態で、回転駆動軸５１ｂによって回転する研磨工具５１の平面状の研磨面５１ｂの上にシート部材Ｓ２の端面Ｅ２を接触させ、往復駆動軸６１を第４保持部材１４の上部の駆動用凹部１４ｂに差し込み、水平方向（研磨面５１ｂの面の展開方向）に往復駆動することにより、シート部材Ｓ２の横方向端面Ｅ２が平坦面状に研磨される。この場合、第３保持部材１３と第４保持部材１４は、軟質の合成樹脂材料等からなり、シート部材Ｓ２の研磨時に一緒に研磨されてもよいようになっている。
【００３４】
上記のような構成と手順により、第２実施形態のシート部材端面の平面研磨方法の場合を用いれば、研磨しようとするシート部材の長さが非常に長い場合であっても、研磨機械の研磨工具の範囲内に収めることができる。また、手研磨とは異なり短時間で研磨を行うことができる。さらに、機械研磨であるため、研磨された端面の平面精度として良好な値を得ることができる。
【００３５】
上記した第２実施形態において、締付機構２１は、特許請求の範囲における第２締付手段に相当している。
【００３６】
本発明は、上記した第１、第２実施形態以外の構成によっても実現可能である。図４は、本発明の第３実施形態であるシート部材端面の平面研磨方法を説明する図である。
【００３７】
第３実施形態のシート部材端面の平面研磨方法では、図４に示すようなシート部材保持用治具１Ｃが用いられる。図４は、シート部材保持用治具１Ｃを側方から見た断面図を示している。また、シート部材Ｓ３、Ｓ４は、柔軟性を有する合成樹脂材料からなり、シート状に形成されており、図４における下端面Ｅ３、Ｅ４が被研磨面となっている。
【００３８】
図４に示すように、このシート部材保持用治具１Ｃは、第１保持部材１５と第２保持部材１６を有している。第１保持部材１５は、円盤状に形成された部材である。また、第１保持部材１５は、円柱の外側面状の曲面（以下、「第１保持面」という。）１５ｃを有している。
【００３９】
また、この場合には、第１保持面１５ｃには、シート部材Ｓ３とシート部材Ｓ４が、全周面の一部区間だけ巻回されている。
【００４０】
第２保持部材１６は、環状又は短い円筒状に形成された部材であり、図示はしていないが、第１実施形態における間隙Ｖ１と同様の間隙が一部に形成されている。第２保持部材１６の内径は、第１保持面１５ｃの外径とほぼ同じ値に設定されている。このため、上記の間隙の部分を開くようにして、シート部材Ｓ３、Ｓ４の外側から嵌めれば、第２保持部材１６の内壁面がシート部材Ｓ３、Ｓ４の外面に密接するようになっている。
【００４１】
この第３実施形態のシート部材端面の平面研磨方法の場合には、第２保持部材１６に締付力を付与して、シート部材Ｓ１を押さえ付け、脱落を防止するため、針金（図示せず）を第２保持部材１６の外周に巻回し、針金の端部をねじってかしめてもよいし、図２に示す締付機構２１を設けてもよい。
【００４２】
上記のようにして、シート部材保持用治具１Ｃにより、シート部材Ｓ１を略円筒状に保持するとともに、シート部材Ｓ３、Ｓ４の端面Ｅ３、Ｅ４をシート部材保持用治具１Ｃから下方に突出させた状態で、回転駆動軸５１ｂによって回転する研磨工具５１の平面状の研磨面５１ｂの上にシート部材Ｓ３、Ｓ４の端面Ｅ３、Ｅ４を接触させ、往復駆動軸６１を第１保持部材１５の上部の駆動用凹部１５ｂに差し込み、水平方向（研磨面５１ｂの面の展開方向）に往復駆動することにより、シート部材Ｓ３、Ｓ４の縦方向端面Ｅ３、Ｅ４が平坦面状に研磨される。この場合、第１保持部材１５と第２保持部材１６は、軟質の合成樹脂材料等からなり、シート部材Ｓ３、Ｓ４の研磨時に一緒に研磨されてもよいようになっている。
【００４３】
上記のような構成と手順により、第３実施形態のシート部材端面の平面研磨方法の場合には、研磨しようとするシート部材の長さが非常に長い場合であっても、研磨機械の研磨工具の範囲内に収めることができる。また、手研磨とは異なり短時間で研磨を行うことができる。さらに、機械研磨であるため、研磨された端面の平面精度として良好な値を得ることができる。
【００４４】
上記した第３実施形態において、図示しない針金、又は締付機構２１は、特許請求の範囲における第１締付手段に相当している。
【００４５】
なお、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【００４６】
例えば、上記した第３実施形態においては、シート部材Ｓ３、Ｓ４と同一の材料からなり同一の厚さを有するダミー部材（図示せず）を用意し、このダミー部材を第１保持面１５ｃの残部（シート部材Ｓ３、Ｓ４が保持されていない区間）に保持するようにし、この状態で平面状研磨を行うようにしてもよい。このダミー部材を用いる方法は、第１実施形態、第２実施形態の場合にも応用可能である。すなわち、シート部材Ｓ１又はＳ２が第１保持面又は第３保持面の一部区間のみに保持されるような場合である。
【００４７】
【発明の効果】
以上説明したように、本発明に係るシート部材端面の平面研磨方法及びシート部材保持用治具によれば、柔軟性を有する合成樹脂材料からなりシート状に形成されたシート部材を筒の一部又は全部を形成する形状にした状態でシート部材保持用治具により保持するとともに、シート部材の端面をシート部材保持用治具から突出させ、平面状の研磨面を有する研磨工具とシート部材の端面を接触させ、シート部材保持用治具と研磨工具を研磨面の方向に互いに移動させて研磨を行うように構成したので、シート部材の端面を平面状に研磨することができ、研磨しようとするシート部材の長さが非常に長い場合であっても、研磨機械の研磨工具の範囲内に収めることができる。また、手研磨とは異なり短時間で研磨を行うことができる。さらに、機械研磨であるため、研磨された端面の平面精度として良好な値を得ることができる、という利点を有している。
【図面の簡単な説明】
【図１】本発明の第１実施形態であるシート部材端面の平面研磨方法を説明する図である。
【図２】本発明の第１実施形態であるシート部材端面の平面研磨方法における第１締付手段の他の例の構成を示す図である。
【図３】本発明の第２実施形態であるシート部材端面の平面研磨方法を説明する図である。
【図４】本発明の第２実施形態であるシート部材端面の平面研磨方法を説明する図である。
【図５】従来の部材の平面研磨方法を説明する図である。
【符号の説明】
１Ａ〜１Ｃ　シート部材保持用治具
１１　第１保持部材
１１ａ　シート受面
１１ｂ　駆動用凹部
１１ｃ　第１保持面
１１ｄ　鍔部
１２　第２保持部材
１２ａ、１２ｂ　端部
１３　第３保持部材
１３ｃ　第３保持面
１３ｅ　垂下筒部
１４　第４保持部材
１４ｂ　駆動用凹部
１５　第１保持部材
１５ａ　シート受け台部
１５ｂ　駆動用凹部
１５ｃ　第１保持面
１６　第２保持部材
２１　締付機構
２２ａ、２２ｂ　張出部
２３ａ、２３ｂ　ボルト挿通孔
２４　ボルト
２５　ナット
５１　研磨工具
５１ａ　研磨面
５１ｂ　回転駆動軸
６１　往復駆動軸
７０　シート
７１　表面
７２　横方向端面
７３　縦方向端面
８０　保持用工具
８１、８２　挟持部材
８３　取付部材
８４　往復駆動軸
９０　研磨工具
９１　研磨面
９２　回転駆動軸
Ｅ１〜Ｅ４　端面
Ｓ１〜Ｓ４　シート
Ｖ１、Ｖ２　間隙
【図１】
2004114192.tif 000003
【図２】
2004114192.tif 000004
【図３】
2004114192.tif 000005
【図４】
2004114192.tif 000006
【図５】
2004114192.tif 000007